Podtech/llm-jp-corpus-v4-ja_patent huggingface dataset:
(57)【要約】【課題】従米の消臭剤，即ち芳香剤や活性炭．天然原料脱臭剤．塩素系脱臭剤はそれぞれの消臭分野に対応したものしか無く悪臭に対し脱臭効果，即効性，持続力にも問題があった。これは現代科学でもいまだ解決できないためである。【解決手段】発明者は長年の技術の蓄積によっていかなる悪臭に対しても即効性．持続力を有する消臭剤ができないか研究を重ねて来た結果特定の化合物を０，１〜１０％含有する強力なる消臭剤を開発した。このことにより，即効性．持続力を有する本商品を提供することができる。【選択図】なし【特許請求の範囲】
【請求項１】
本商品は消臭剤組成物に関する。更に詳細には特定の化合物を０．０１〜１０％含有する強力なる新規消臭剤に関する界面活性剤。
【発明の詳細な説明】
【技術分野】
【０００１】下記の一般式（１）又は（ＩＩ）で示されるポリアリル化合物並びにその塩を含有する事を特徴とする消臭剤組成物に関する。
ＲＲ１Ｎ−（ＣＨ２ＣＨ＝ＣＨ−ＣＨ２）ｎＡＭ            〜（１）
（上記一般式（１）に於いてＲＲ１は炭素数１〜１８のアルキル基、ｎは１〜１００の整数、Ａはスルホン基、又はアルポキシル基、Ｍはアルカリ金属又はアミンを示す。）
2007021138.tif 000002
（上記一般式（ＩＩ）に於いてＲ２Ｒ３Ｒ４は炭素数１〜１８のアルキル基、ｎは１〜１００の整数、Ａはスルホン基又は、アルポキシル基、Ｍはアルカリ金属又はアミンを示す。）
【背景技術】
【０００２】種々の悪臭は現代社会に於いて解決されるべき重要な問題で発生源、原因物質に応じて種々の対策が講じられている事は衆知の通りである。然し乍ら一般人が普段直面する悪臭例えば、ゴミ・たばこ・排気ガス等の個々の悪臭源に対しては全くと言って良いほど対策がなされておらず僅かに冷蔵庫内に使用する脱臭剤やトイレ等に於ける芳香剤がその代表例である。
【発明の開示】
【発明が解決しようとする課題】
【０００３】脱臭効果及び持続力が強く、取り扱いが簡単で安価に製造できる開発が要請されている。
【課題を解決するための手段】
【０００４】本発明者は、前記問題点を解決すべく鋭意研究を行った結果、本請求範囲に示した化合物に特異、強力なる脱臭効果を認め本発明を完成するに至った。本発明品を含有する水溶液は種々の悪臭、異臭に対して極めて僅かな量で脱臭作用を示し消臭剤として極めて有効である事が確認された。即ち本発明品は悪臭源に対してそのまま塗布、散布するか又は水溶液として気相の悪臭物質を吸収消臭せしめるか又は口中の異臭を除く為にそのまま飲料として使用する事も可能である。本発明は水溶液として使用するのが最も簡便であるが、必要に応じて酸化チタン等の無機物に付着させるか、エタノ−ル等の飲料物と混合使用することもできる。即ち、本発明に於いて用いられる化合物は、下記の−般式（１）で示される化合物で
ＲＲ１Ｎ（ＣＨ２ＣＨ＝ＣＨ・ＣＨ２）ｎＡＭ          〜（１）
（上記一般式（１）に於いて
ＲＲは炭素数１〜１８のアルキル基、ｎは１〜１００の整数、Ａはスルホン基、又はアルポキシル基、Ｍはアルカリ金属又はアミンを示す。）
この一般式で示される化合物としては以下のようなものを挙げることが出来る。
ジメチルアミノポリブテニルスルホン酸，ジプチルアミノポリブテニルカルボン酸ナトリュウム，メチルエチルアミノポリブテニルスルホン酸，トリエタノ−ルアミン，エチルオクチルアミノポリブテニルカルボン酸，モノエタノ−ルアミン又、下の一般式（ＩＩ）で示される本発明品
2007021138.tif 000003
（上記の一般式（ＩＩ）に於いてＲ２Ｒ３Ｒ４は炭素数１〜１８のアルキル基、ｎは１〜１００の整数、Ａはスルホン基又はアルポキシル基、Ｍはアルカリ金属又はアミンを示す。）のうち代表的なものを示すと、トリメチルアミン，ポリブテニルスルホン酸ナトリュウム，ジメチルエチルアミン，ポリブテニルスルホン酸，トリエタノ−ルアミン，モノステアリルジメナルアミン，ポリブテニルカルボン酸，モノプロピルジェチルブテニルカルボン酸ナトリュウム等が挙げられる。本発明品のうち好ましいものとしてはアルキル基のうち１〜５のもの，ｎは１０〜２０の範囲の整数，アルカリ金属としてはナトリュウム．又はカリュウム．アミンは炭素数２若しくは３のアルカノ−ルアミンで，モノエタノ−ルアミン．ジェタノ−ルアミン．又はトリエタノ−ルアミンを挙げられる。
【発明の効果】
【０００５】次に実施例を挙げて本発明を説明するが、本発明にこれによって制約されるものではない。又本発明品は、エタノ−ル，色素，界面活性剤，保存料等と併用出来ることは言うまでもない。
【実施例１】１．本発明品      ５．０
２．水          ９５．０
３．ＰＨ          ７．０
上記組成物をエアゾ−ル又はポンプにより散布消臭剤とする。
（※一般式（１）に於いてｎ＝１０なるもの）
【実施例２】１．本発明品      １０．０
２．エタノ−ル    ２０．０
３．水            ７０．０
４．ＰＨ            ６．５
上記組成物をゲル化し（エタノ−ルの揮発性を利用）消臭剤とする。
（※一般式（１）に於いてｎ＝１０なるもの）
【実施例３】実施例１の消臭剤による消臭効果を市販の消臭剤として用いられる活性炭．天然原料脱臭剤及び塩素系脱臭剤と比較した。試験は、各消臭剤（試供品）１ｇを計りとり、１２５容バイアル瓶に入れ密栓した。
次にアンモニアガスをシリンジを用い密栓したバイアル瓶内に注入後、室温放置し、経時的にバイアル瓶内のガスをガスクロマトグラフへ注入した。対照として、空の密栓したバイアル瓶にアンモニアガスを注入し、同様に経時的にバイアル瓶内のガスをガスマトグラフへ注入した。
得られたガスクロマトグラフ上の最高を測定し対照を１００として各測定時刻に於ける残存率を求めた。
メチルメルカプタン．硫化水素についても同様に試験した。その結果を、それぞれ次項の表１〜３に示した。
尚、表４は対照の残存率を示したものである。【０００６】
【表−ｌ】
2007021138.tif 000004
【０００７】
【表−２】
2007021138.tif 000005
【０００８】
【表−３】
2007021138.tif 000006
【０００９】
【表−４】
2007021138.tif 000007
(57)【要約】【課題】    室内飼いのペットがいる場合など自分で室内ドアを開閉できない為、冷暖房をした部屋で、出入りのたびにドアの開閉を余儀なくされ、外気が侵入し、冷暖房効果が損なわれること。またドアの開閉の煩わしさを解決すること。【解決手段】    ビニール素材で室内ドアに取り付けるドアカーテン１などによりこの課題を解決する。【選択図】    図１
2007021131.tif 000002
【特許請求の範囲】
【請求項１】
ビニール素材で室内ドアに取り付けることを特徴とするドア用カーテン。
【請求項２】
上部に着脱可能なテープをつけることを特徴とするドア用カーテン。
【発明の詳細な説明】
【技術分野】
【０００１】  本発明はカーテンに関するものであり、ビニール製のカーテンを室内ドアに取り付けることによって、冷暖房をした部屋のドアを開けた状態でも、外気の侵入を防ぎ、冷暖房効果を損なわず出入りが出来る事と、開閉の煩わしさも解決すようにしたものである。
【背景技術】  この発明に関連する技術が記載された文献は調べていません。
【発明の開示】
【発明が解決しようとする課題】
【０００３】  しかし、室内飼いのペットがいる場合など自分で室内ドアを開閉できない為、冷暖房をした部屋で出入りのたびにドアの開閉を余儀なくされ、外気が侵入し、冷暖房効果を損ない、またドアの開閉の煩わしさも生じます。本発明は冷暖房効果を損なってしまうこと、ドアの開閉の煩わしいという不都合を解決することを課題とする。
【課題を解決するための手段】
【０００４】  この課題を解決するための請求項１の発明はビニール素材で室内ドアに取り付けることを特徴とするドアカーテンである。冷暖房をした部屋に取り付けることにより、室内ドアを開けた状態でも、冷暖房効果を損なうことなく出入りができる。【０００５】  また、請求項２の発明はカーテン上部に着脱可能なテープをつける事を特徴とするカーテンである。冷暖房をしないシーズンなどには、着脱可能なテープを取り付けることにより、通常の室内ドアの状態に戻すことができる。また、この着脱可能なテープにより住居に傷をつける事を防ぐことも出来る。
【発明の効果】
【０００６】    本発明により、冷暖房をした部屋で、出入りのたびにドアの開閉を余儀なくされる場合、室内ドアを開けた状態でも、冷暖房効果を損なうことなく出入りができ、またドアの開閉の煩わしさから開放されることができる。
【発明を実施するための最良の形態】
【０００７】  図１は、ビニール素材で室内ドアに取り付けることを特徴とするドアカーテンの図である。同図に示すように冷暖房をした部屋の室内ドアを開けた状態でも、ドアカーテンをつけることにより冷暖房効果を損なうことなく出入りができ、またドアの開閉の煩わしさから開放されることができる。【０００８】  図２は、上部に着脱可能なテープをつけることを特徴とするドアカーテンのテープ部分の図である。同図に示すようにドア外側に着脱可能なテープを付けることによって、冷暖房をしないシーズンには取り外すことができる。よって、この着脱可能なテープにより住居に傷をつける事を防ぐことも出来る。
【産業上の利用可能性】
【０００９】  本発明に係るドアカーテンは、工業的に量産することが可能であるため、産業上の利用可能を有する。
【図面の簡単な説明】
【００１０】
【図１】  ビニール素材で室内ドアに取り付けるドアカーテンの図である。
【図２】  上部に着脱可能なテープをつけるドアカーテンの図である。
【符号の説明】
【００１１】  １    ビニール素材で室内ドアに取り付けるドアカーテン
２    上部に着脱可能なテープをつけるドアカーテン
３    室内ドア外わく
【図１】
2007021131.tif 000003
【図２】
2007021131.tif 000004
(57)【要約】      （修正有）【課題】  人工乳首の舌ざわりと舌がかりを母乳首に近づけ乳児が嫌がる事が少ない人口乳首を提供する。【解決手段】  人工乳首の表面微小形状を、ヒト皮膚に模して細い溝が多方向に走り、それにより上方から見ると三角形等の多角形をした微小隆起が並んでいるパターン、もしくは小突起、小ディンプルを広範に設ける。それにより、その舌ざわりと舌がかりが母乳首に近づき、かつ、柔軟性を維持しながら柔軟性を増し、可塑性を両立する。【選択図】図１
2007021190.tif 000002
【特許請求の範囲】
【請求項１】
人工乳首の表面微小形状において、平滑ではなく小さな凹凸パターンを広範に設けた人工乳首。
【請求項２】
人口乳首の表面微小形状を、細い小溝もしくは細い線状小隆起が、単もしくは複数の方向に並んでいるパターンを広範に設けた人工乳首。
【請求項３】
人口乳首の表面微小形状を、小突起もしくは小ディンプルが並んでいるパターンを広範に設けた人工乳首。
【発明の詳細な説明】
【技術分野】
【０００１】  本発明は、乳児が嫌がる事の少ない人工乳首に関する。
【発明の開示】
【発明が解決しようとする課題】
【０００２】  乳児には完全母乳保育が理想的ではあるが、諸事情により多くの場合、母乳と人口乳のボトル哺乳が併用されている。しかし、乳児が人工乳首を嫌がり、ボトル哺乳が困難な場合も少なからずある。【０００３】  舌の触覚は非常に優れており、二点識別能は指先より優れている。一方、味覚の方は乳児の場合未発達であり、舌の知覚において触覚が占める割合が高い。【０００４】  人工乳首は母乳首に近づけるよう様々なものが作られてきた。人工乳首の素材は主にシリコーンゴム、イソプレンゴム、天然ゴムであり、形状や硬さや内容物の出具合を工夫されているが、いずれも表面は平滑なものである。一方、母乳首はそのようなツルツルとした触感とはまったく異なる。触感（舌ざわり）の表現は難しいが、母乳首は凸凹があり表面摩擦も大きい。湿潤な状態でも母乳首表皮は摩擦力が高いが、シリコーンは口にふくんで濡れるとさらに摩擦力が大きく低下する。以上、重要な因子である触感（舌ざわり）が大きく異なる。【０００５】  さらに乳児は乳を吸っているというより、舌を蠕動させしごくようにしているため、舌と口蓋により乳首をしっかり把持しなくてはならない。その際、摩擦の大きな母乳首では舌がかりが良いためより自然に飲めるが、ツルツルした人工乳首では舌がかりが悪く、それも乳児に不快感を与えると考えられる。【０００６】  ヒトの表皮表面には細い溝が縦横に走り、それに区切られて盛り上がった三角形の皮丘がある。触感（舌ざわり）は非常に微妙で多くの因子が関係しており再現するのは困難であるが、形態をできるだけ似せる事が触感を近づける方法の一つである。【０００７】  以上のことを鑑み、本発明の目的は表面微小形状による舌ざわりや舌がかりに注目して乳児の嫌がることの少ない人工乳首を提供することである。
【課題を解決するための手段】
【０００８】  人工乳首表面に微小な凹凸形状を広範に施す。【０００９】  その凹凸の形は種々のものが考えられるが、ヒトの表皮を模して、細い溝が多方向に走り、それにより上方から見ると三角形や四角形等の多角形をした微小隆起が並んでいるパターンとする。
【発明の効果】
【００１０】  人工乳首を口にふくんだ時のツルツルとした平滑感をなくし、また、舌がかりをよくすることで、乳児が嫌悪感を引き起こさないようになる。【００１１】  多方向に走る溝構造により人口乳首の可塑性を維持しながら柔軟性を増す事ができる。
【発明を実施するための最良の形態】
【００１２】  以下、本発明の実施形態を図１、２に基づいて説明する。【００１３】  図１に示すように、人工乳首のシリコーン表面に三方向に走る細い溝が並び、それにより上方から見ると一辺１ミリメートル程度の三角形の微小隆起が互い違いに並んでいるようなパターンを広範に設ける。【００１４】  図２に示すように、その溝の断面形状が角張らず、深部になるほど幅が小さくなるようにすることで、食物遺残が少なくなるようにする。【００１５】  マクロな形態については、ここでは特定するものではない。
【図面の簡単な説明】
【００１６】
【図１】  人口乳首の表面パターンの上面拡大図である。
【図２】  人口乳首の表面パターンの断面拡大図である。
【図１】
2007021190.tif 000003
【図２】
2007021190.tif 000004
(57)【要約】【目的】割箸袋の中に入った楊枝で手指を傷つける危険性の回避と、割箸袋が無くても割箸が楊枝を一体保持する事を目的とする。【構成】割箸の端部等に筒状穴を貫設し、この中に楊枝を挿入、勘合、一体保持する等、割箸が楊枝を一体保持する様に構成されている。【選択図】図１
2007021162.tif 000002
【特許請求の範囲】
【請求項１】
楊枝を一体保持する構造を持つ割箸
【発明の詳細な説明】
【発明の詳細な説明】
【産業上の利用分野】
【０００１】    この発明は、楊枝入り割箸を利用する者の安全性向上に関する。
【背景技術】
【０００２】    従来の割箸は楊枝と分離し一体化していないため、楊枝と割箸が入った箸袋を開ける際、楊枝に気付かず袋を突き破った楊枝の先端で手指を刺し傷付けたり、楊枝が入ったままの袋を捨てようとして丸めた時に袋を楊枝が突き破り、手指をケガする等危険を伴うものであった。
【発明が解決しようとする課題】
【０００３】    この発明は、上記した従来の楊枝入り割箸に関する問題点を解消し安全な楊枝入り割箸を提供することを目的とする。
【課題を解決するための手段】
【０００４】    上記目的を達成するこの発明の割箸は、割箸の一部に楊枝一体保持部を設けた事を特徴とする。割箸の端部に筒状穴を貫設し、この中に楊枝を挿入、勘合保持する等楊枝一体保持構造を持つ事を特徴とする。
【作用】
【０００５】    この発明の割箸は楊枝一体保持構造をしている為、箸が楊枝と分離せず楊枝が箸袋内で遊ぶ事がなく、楊枝が箸袋を突き破って手指をケガする危険がない。又、箸袋が無くても箸と楊枝を一体保持する事ができる。
【実施例】
【０００６】    なお、割箸に楊枝を一体保持させるには、筒状穴に限らず割箸の一部に溝形部を作り楊枝を抱持させてもよい。割箸の一部に切り込みを追加しこれを割箸と同様に割る事で楊枝としてもよい。割箸の先端から楊枝を楔着してもよい。楊枝の断面形状を角形にし先端を角錐又は円錐状としてもよい。一般の割箸にある中央の溝部等に接着してもよい。割箸に限らず通常の箸やフォ−クやスプ−ンや取り皿等に筒状穴や溝部等の楊枝一体保持部を設けてもよい。楊枝先端が歯間ブラシでもよい。楊枝一体保持部の位置や楊枝保持の向きも任意に設定してもよい。
楊枝頭部に花の飾りや、リボン、名札、メッセ−ジカ−ド、キャラクタ−人形等を付けてもよい。
【発明の効果】
【０００７】    この発明の割箸は上述のように構成される為、従来のように割箸と楊枝が分離して箸袋の中に入っていた為、楊枝が箸袋を突きやぶり手指を傷つけるような危険を回避でき楊枝入り割箸袋の安全性を確保する事ができる。
又、割箸袋が無くても割箸と楊枝を一体保持させることができる。
【図面の簡単な説明】
【図１】  楊枝一体保持割箸一例の斜視図である。
【図２】  楊枝一体保持割箸一例の断面図
【図３】  楊枝保持部を溝形にした楊枝一体保持割箸他例の斜視図
【図４】  楊枝保持部を溝形にした楊枝一体保持割箸他例の断面図
【図５】  割箸の一部に切り込みを入れ楊枝とする楊枝一体保持割箸他例の斜視図
【図６】  割箸の一部に切り込みを入れ楊枝とする楊枝一体保持割箸他例の断面図
【図７】  割箸の先端に楊枝を楔着した楊枝一体保持割箸他例の斜視図
【図８】  割箸の先端に楊枝を楔着した楊枝一体保持割箸他例の断面図
【図９】  割箸の中央部に楊枝を接着した楊枝一体保持割箸他例の斜視図
【図１０】  割箸の中央部に楊枝を接着した楊枝一体保持割箸他例の断面図
【図１１】  楊枝一体保持スプ−ン一例の斜視図である。
【図１２】  楊枝一体保持フォ−ク一例の斜視図である。
【符号の説明】
１は楊枝部
２は割箸部
３は楊枝一体保持部
４は切込部
５は楔着部
６は接着部
７はスプ−ン
８はフォ−ク
【図１】
2007021162.tif 000003
【図２】
2007021162.tif 000004
【図３】
2007021162.tif 000005
【図４】
2007021162.tif 000006
【図５】
2007021162.tif 000007
【図６】
2007021162.tif 000008
【図７】
2007021162.tif 000009
【図８】
2007021162.tif 000010
【図９】
2007021162.tif 000011
【図１０】
2007021162.tif 000012
【図１１】
2007021162.tif 000013
【図１２】
2007021162.tif 000014
(57)【要約】【課題】    何らかの原因で両噛みが出来ず、片噛みで食事をしたり、また歯がなくて噛むことが出来ないため、肩こりをはじめいろんな症状で困っている人のために、両噛みが可能となるシートを提供する。【解決手段】    歯材用のソフトのシートで歯全体の噛み合わせの部分（１）を切り抜くことを特徴とする。【選択図】    図１
2007021164.tif 000002
【特許請求の範囲】
【請求項１】
両噛みを目的として、歯ぐきあるいは、歯全体が噛み合わす為のシートで、（１）のような歯全体の噛み合わせ部分を形取ったもの。
【発明の詳細な説明】
【技術分野】
【０００１】  この発明は物を食べる時に、片噛みをする為に起こる肩こり、その延長の偏頭痛、また、いろいろな痛みなどに対処するものです。
片噛みとは、食物を右側で噛んだり、左側で噛んだりして、食べることです。
両噛みとは、食物を口の中で左右に分けて、左右同時に噛んで食べる事です。
偏頭痛、腕の痛み、肩こりなどいろんな症状が、片噛みと関係しています。
それらの症状を訴える人は、必ず片噛みをしています。
そこで、その場であるものを使って両噛みをさせる事によって、肩こりや痛みなど色々な症状が楽になるのですが、３度の食事を片噛みでする為、また元に戻り悪循環になっています。
しかし、努力の結果、両噛みができる様になった人は、肩こりなどがしなくなります。
何らかの原因で片噛みをする様になった人が、両噛みで食べるようになるには、たいへん難しいといわれます。
特に、老人にとっては無理があるようです。
また、歯がなくて物が噛めない老人などの場合、歯ぐきでこの両噛みシートを噛むことによって、良い効果があります。
この考え方は、食事を両噛みでするのが望ましいのですが、どうしても出来ない人の為に、食事の最後だけでも両噛みで、終わらせる為のものです。
それだけでも効果はあるのです。
そういう意味で、片噛みで食事をした後に、両噛みをしっかりする為に、歯全体の噛み合わせ部分を形取ったこのシートを使うことを考えました。
【背景技術】
【０００２】  肩こり、痛み、あるいは不快な症状の原因が、片噛みによっても起こるという考えがない。
【発明が解決しようとする課題】
【０００３】  例えば、片方の奥歯が硬いものを噛めずに両噛みが出来なかったり、いつの頃からか、片噛みが長年の癖であったり、また歯がなくて物を噛めない老人だったりして、努力をしてもなかなか両噛みができない人の為に、考えついたものである
【課題を解決する為の手段】
【０００４】歯材用のソフトのシートを、歯全体の噛み合わせ部分が入るように、形取って切り抜きました。
それを歯や歯茎でしっかり噛むことによって、両噛みが出来て、肩こりなどの症状が、楽になるものである。
【発明を実施するための最良の形態】
【０００５】以下、本発明の実施の形態について説明する。
歯材用のソフトのシートを、歯全体の噛み合わせの部分が入るように、かたちどって切り抜いたものである。
歯全体あるいは歯ぐきで、それをしっかり噛むことによって、両噛みが可能になる。
【発明の効果】
【０００６】この両噛みシートをしっかり噛むことによって、原因の分からない偏頭痛や、肩こり、いろいろとある症状が、楽になります。
これは、介護に、生かしていくと良い効果が、出ると確信します。
【図面の簡単な説明】
【図１】本説明の歯全体の噛み合わせの部分を形取ったものである。
【図１】
2007021164.tif 000003
(57)【要約】【課題】予防介護、老化防止、頭の活性化、ボケ防止に必要なゲーム感覚で手の指先を利用した運動器具を提供する。【解決手段】各種の布地で大きさもさまざまな布袋にゼリー状の軟らかい物質を注入し、指先でアップリケの部分を親指と他の４本の指先で交互に押す事で注入されたゼリー状の軟らかい物質の移動を繰り返すことで手の指先の運動、それが頭の活性化、老化防止、ボケ防止、予防介護に良い事を特徴とするゲーム感覚の指圧運動。【選択図】  図１
2007021153.tif 000002
【特許請求の範囲】
【請求項１】
布袋にゼリー状の軟らかい物質を注入したゲーム感覚の指圧運動。
【請求項２】
布袋の上面にアップリケを設け、その部分を指先で押す請求項１記載のゲーム感覚の指圧運動。
【請求項３】
布袋の下面にポケットを設けた請求項１〜２記載のゲーム感覚の指圧運動。
【発明の詳細な説明】
【技術分野】
【０００１】  本発明は、布袋の中にゼリー等の軟らかい物質を挿入し、利用した指の運動具で、予防介護に最適で、老若男女、子供にも利用できる指の運動具に関するものである。
【背景技術】
【０００２】  従来、予防介護とか老若男女向けには、商品が手の指の筋力アップとかボケ防止、老化防止を予防する為の各種指の運動器具が多数ある。
例えば、特開２００１−２２４７０７公報、特開平１０−０９４５７０公報  実登３０７４２１３公報等がある。
【発明の開示】
【発明が解決しようとする課題】
【０００３】それには次のような問題点があった。
（イ）ゼリー状の軟らかい物質を使用した手の指の運動器具は少ない。
（ロ）成形品、金属品は老人子供にとって危険な時もある。
（ハ）ゲーム感覚で楽しみながら予防介護、ボケ防止、老化防止、頭の活性化のできる指の運動器具は少ない。
（ニ）手の指でゼリーの塊を交互に押して、ゲーム感覚で交互に移動させることで予防介護、ボケ防止、老化防止、頭の活性化が出来るような指の運動器具はあまりない。
（ホ）手の指先でゼリー状の物体を押しながら、親指と他の４本の指先を交互に押し合いゲーム感覚で運動ができるものは無い。
【課題を解決するための手段】
【０００４】  本発明は、各種繊維の軟らかい布袋を設け、その布袋の中にゼリー等の軟らかい物質を挿入し封入する。強い力を使わずに、手の親指と他の４本の指先で交互に布袋のアップリケのところを押し、ゼリー状の軟らかい物質を移動させ指の運動が容易にでき、安価に製造でき、携帯に便利で、いつどこでも指の運動ができる。以上を特徴とするゲーム感覚の指圧運動である。
【発明の効果】
【０００５】  各種形状の布袋にゼリー状の軟らかい物質を挿入し、封入したゼリー状の物質を手の親指と他の４本の指先で交互に布袋のアップリケのところを押しつぶし封入した軟らかいゼリー状の物質を移動させる指先の運動で頭の活性化につながり、ボケ防止、老化予防、介護に効果が期待できる。
【解決するための最良の形態】
【０００６】  以下、本発明の実施の形態を説明する。
（イ）各種形状、各種大きさの布地の布袋を設ける。
（ロ）ゼリー状の軟らかい物質を設ける。
（ハ）ゼリー状の軟らかい物質を布袋に注入し封入する。
（ニ）布袋の上面にいろいろの形状、大きさのアップリケを複数縫うか接着する。
（ホ）下面にポケットを設ける。
本発明は、以上のような構成よりなっている。
これを使用するときは、アップリケのついた布地の布袋のアップリケの部分を親指と他の４本の指で交互に押しつまむことで、布袋の中に注入されたゼリー状の軟らかい物質が左右前後に移動し、これを繰り返す事で介護防止、ボケ防止、老化防止、頭の活性化に大いに役立つ。
【図面の簡単な説明】
【０００７】
【図１】本発明の平面図である。
【図２】本発明の裏面図である。
【図３】本発明の正面図である。
【図４】本発明の右側面図である。
【図５】本発明の左側面図である。
【符号の説明】
【０００８】    １  布袋
２  ゼリー状の物質
３  アップリケ
４  ポケット
【図１】
2007021153.tif 000003
【図２】
2007021153.tif 000004
【図３】
2007021153.tif 000005
【図４】
2007021153.tif 000006
【図５】
2007021153.tif 000007
(57)【要約】      （修正有）【課題】哺乳瓶の中のミルクの乳幼児に対しての飲み頃適温を一目で分かるように表示する。【解決手段】可逆性示温インク印刷を施し、内容物の飲み頃の最適温度を色の変化で表示することの出来る哺乳瓶。【選択図】なし【特許請求の範囲】
【請求項１】
哺乳瓶の外側に可逆性示温インク印刷を施し、内容のミルクの適温を一目で見分けられるようにした哺乳瓶
【発明の詳細な説明】
【発明の詳細な説明】
【技術分野】
【０００１】この発明は乳幼児がミルクを飲むとき使用する哺乳瓶に関するものである。
【背景技術】
【０００２】ミルクは沸騰したお湯で溶き、水道水で適温まで冷やして乳児に飲ませているが、適温を知るために肌に当てたり、ちょっと飲んでみたりして温度を見ていた。
【解決しようとする課題】
【０００３】この発明はミルクの温度を見るため、ちょっと口をつけたりすると言うような不衛生な行為をすることなく、飲ませる適温を知らしめることを目的とする。
【課題を解決するための手段】
【０００４】この発明は哺乳瓶に可逆性示温インクを用い、適温で色の変化が起きるように設定されたマーク、絵等を印刷、或いはシール等にして貼付した哺乳瓶を製作する。
【作用】
【０００５】適温での色の変化が観られるように印刷されたことで、哺乳瓶の中のミルクの飲ませ頃温度が一目で分かるようになる。
【発明の効果】
【０００６】母親が口をつけたりして適温を見るという不衛生なことがなくなると共に、熱すぎて乳児を驚かせたりすることもなくなる。
【実施例】
【０００７】瓶に直接印刷、或いはシールにして表示することも可能である。また、絵柄も泣いている赤ちゃんが適温で笑うとか、会社のマークの色が変化するなど、哺乳瓶に特徴を持たせること、目を楽しませることが出来る。
(57)【要約】【課題】    ゴムボート使用の際に腰掛ける際は付属の腰掛板を使用するのが従来だが、低い為腰が痛くなり易い、目線が低く魚を捕えにくいなどの問題点がある。また高さのあるファイティングシートの取り付けを可能にする従来品があるが、組み立て式のためかさばる点が問題である。【解決方法】    本発明は腰掛板を挟む為のアームとフック、腰掛板の幅を合わせる為アームの可動を目的とした溝を有した部材、及びアームに腰掛板とシートベースを固定させる為のカムを設け、そのカムを高点まで回転させるレバーとで構成されており、高さのあるシートの取り付けを可能にし、かつ、腰掛板を利用することからボート幅にとらわれない為、軽量、小型が可能になっている。【選択図】図１
2007021155.tif 000002
【特許請求の範囲】
【請求項１】
シート取り付けの為のスリーブと、腰掛板を挟む為のアームとフック、腰掛板の幅を合わせる為アームの可動を目的とした溝を有した部材、腰掛板とシートベースを固定させる為のカムのついたアーム、カムを高点まで回転させるためのレバーから成るゴムボート用シートベース。
【請求項２】
ゴムボート付属の腰掛板に挟み込んで固定する事を特徴とした請求項１記載のゴムボート用シートベース。
【発明の詳細な説明】
【技術分野】
【０００１】  本発明はシートベース、より詳しくはゴムボートの腰掛板を利用してファイティングシートの取り付けを可能にするためのシートベースに関する。
【発明の開示】
【発明が解決しようとする課題】
【０００２】  ゴムボート使用の際に腰掛ける場合は、付属の腰掛板を使用するのが通常である。【０００３】  この腰掛板は通常はゴムボート側面チューブの高さよりもやや低い位置に取り付けられているため、長時間のフィッシング時等には腰を痛め易い、目線が低く魚を捉えにくいなど、低さに問題がある。【０００４】  上記を解消する既製品として、ゴムボートの空気圧を利用して高さのあるファイティングシートの取り付けを可能にした製品がある。【０００５】  上記製品は腰掛板を取り外し、底板に合わせた幅のアルミ製の板の両端にパイプを繋ぎ、ゴムボートの空気圧を利用して固定するものである。【０００６】  既製品は軽量ではあるが製品自体が大きく、また組み立て式になっているため、持ち運び、収納の際にかさばる。【０００７】そこで本発明はゴムボートへのファイティングシートの取り付けを可能にし、かつコンパクトな使用、収納を提供することを目的とする。
【課題を解決するための手段】
【０００８】  上記課題を解決するために、請求項１のシートベースは、腰掛板を挟む為のアームとフック、腰掛板の幅を合わせる為アームの可動を目的とした溝を有した部材、及びアームに腰掛板とシートベースを固定させる為のカムを設け、そのカムを高点まで回転させるレバーとで構成した。
【発明の効果】
【０００９】  本発明は以上のように構成されていることから、腰掛板を利用してゴムボートにファイティングシートを取り付ける事、かつ腰掛板を利用する為、シートベース自体をゴムボートへ固定させる必要がなく、ゴムボートに固定された腰掛板へ固定させる為に特にゴムボート巾大の部材を必要とせず、コンパクトな形体になっている。ゆえに上記課題を解決するものである。
【発明の実施するための最良の形態】
【００１０】  以下、ゴムボートでのファイティングシートの利用を可能にする為に、上記のとおり構成された本発明をどのように腰掛板に取り付けるのか、図面を参照しながら述べる。
【００１１】  図１は本発明の構成を示す斜視図である。
【００１２】  本発明の腰掛板への取り付けは先ずゴムボート付属の腰掛板に▲２▼ベースを載せ▲１▼位置決めフックを▲５▼アームで挟み、▲５▼アームを▲３▼スライド板の溝の中をスライドさせ▲９▼シート取り付けスリーブ側に引き、腰掛板の巾に合わせ密着させる。
【００１３】  次に▲７▼レバーを腰掛板の裏から▲１▼位置決めフック側に▲６▼カムを回転させながら引き寄せ固定する。
【図面の簡単な説明】
【００１４】
【図１】  本発明の構成を示す斜視図
【符号の説明】
【００１５】▲１▼  位置決めフック
▲２▼  ベース
▲３▼  スライド板
▲４▼  アーム固定バー
▲５▼  アーム
▲６▼  カム
▲７▼  レバー
▲８▼  アーム固定バー押さえ
▲９▼  シート取付けスリーブ
【図１】
2007021155.tif 000003
(57)【要約】      （修正有）【課題】４０肩５０肩などの中高年特有の腕の上げ下ろしが困難な状況になった時や、お腹まわりの脂肪が気になった折、家に居て手軽にストレッチするためのストレッチ体操具を提供する。【解決手段】複数の紐状１に筒２を通し、両端を輪にし固定する片方の輪に金具を付けてもう一方をつなげる状態にする筒の両端には、筒と紐の損傷を防ぐためのストッパー３を付け、また、紐状には、ばらけ防止のストッパー４を付ける。【選択図】図１
2007021160.tif 000002
【特許請求の範囲】
【請求項１】
両手で握ることのできる筒と、この筒に通した複数の伸縮性を有する紐を任意中間位置で紐ストッパーでばらけないようにした紐束と、紐束両端にそれぞれ設けられたリングと各リング部を着脱可能に連結する連結体とにより構成され、前記紐束は柱などの固定物に回して前記連結部でリング部を連結した状態で柱の前に座り両足を柱につけた状態で両手で筒を握って背筋、腹筋運動可能となる長さであることを特徴とするストレッ体操具。
【請求項２】
両手で握ることのできる筒と、この筒に通した複数の非伸縮性のロープとロープ両端に設けられたリング部と各リング部を着脱可能に連結する連結体とにより構成され、結束したロープは高い取り付け場所となる固定物に前記連結部でリング部を連結させた状態とし、足はつま先立ちをした状態で手を上に伸ばし両手で筒を握り、腕と脇を伸ばしぶら下がり可能となる長さであることを特徴とするストレッチ体操具。
【発明の詳細な説明】
【技術分野】
【０００１】本発明は、紐やロープを利用して、腹筋やぶら下がりなどストレッチを可能にした体操具である。
【背景技術】
【０００２】従来からあるぶら下がり器具は、パイプ製のぶら下がり健康器具やぶら下がり器具に腹筋がセットされたものであった。
【発明の開示】
【発明が解決しようとする課題】
【０００３】そのために、次のような問題点があった。
パイプ製で高さと、腹筋がセットされた健康器具は重量もあり、形も大きいことから収納場所を必要とし、持ち運びが困難なため使用場所を考慮しなければならなかった。
本案は、この課題を解消するためになされたものである。
【課題を解決しようとする手段】
【０００４】両手で握ることのできる筒と、この筒に通した複数の伸縮性を有する紐を任意中間位置で紐ストッパーでばらけないようにした紐束と、紐束両端にそれぞれ設けられたリング部とリング部を着脱可能に連結する連結体とにより構成され、前記紐束は柱などの固定物に回して前記連結部でリング部を連結した状態で柱の前に座り両足を柱につけた状態で両手で筒を握って背筋、腹筋運動可能となる長さであることを特徴とするストレッ体操具。
【０００５】両手で握ることのできる筒と、この筒に通した複数の非伸縮性のロープとロープ両端に設けられたリング部と各リング部を着脱可能に連結する連結体とにより構成され、結束したロープは高い取り付け場所となる固定物に前記連結部でリング部を連結させた状態とし、足はつま先立ちをした状態で手を上に伸ばし両手で筒を握り、腕と脇を伸ばしぶら下がり可能となる長さであることを特徴とするストレッチ体操具。
【発明の効果】
【０００６】５０肩で上がらなかった腕も、爪先立ちをし、状態を考慮しながらぶら下がることで、腕や脇のストレッチが出来る。紐状の材質を変える事によって腕と腹筋も、腰に負担をかけずに楽に腹筋ができる。軽量で持ち運びしやすいことから、手軽にストレッチができる。
【発明を実施するための最良の形態】
【０００７】  以下、本発明の実施の形態を説明する。
複数の伸縮性のある紐（１）を両手で握ることのできる筒（２）に通し、両端を輪にする図２に示すように、輪にした一本一本の紐（１）を折り返した状態を針金でコイル状に縛り（８）縛った紐を一つに紐束にし固定具（５）を上から装着する。筒（２）と紐（１）の損傷防ぐために筒の両端に弾力性の輪体を筒用ストッパー（３）として装着する。複数の紐（１）には  ばらけ防止の紐用ストッパー（４）をつけ、紐束両端に設けられたリング部とリング部の連結には楕円形の一カ所に支点（６）のあるその先のつまみ部先端（７）を押圧することで支点（６）を介して開閉する連結金具を付ける。
本発明は、以上の構成よりなっている。
本発明での使用法について説明する。図３に示すように伸縮性のある紐（１）を使用するときは、前記紐束は柱などの固定物に回して前記連結部でリングを連結した状態で柱の前に座り、両足を柱に付けた状態で両手で筒（２）を握って後ろに倒れ、頭が床につく体制の過程で伸縮性の紐が伸びた状態を何度も繰り返して背筋、腹筋をする。【０００８】以下、本発明の第２実施の形態を説明する。
複数の非伸縮性のロープ（９）を両手を肩幅に広げた状態で握ることのできる筒（２）に通し、図４に示すようにロープの両端を輪にする。輪にした一本一本のロープ（９）を折り返した状態で針金でコイル状（８）に縛り縛ったロープを一つに結束し、固定具（５）を装着する。筒（２）とロープ（９）の損傷を防ぐために筒の両端に弾力性の輪体を筒用ストッパー（３）として装着する。複数のロープにばらけ防止のロープ用ストッパー（１０）をつけ、ロープを一つに結束し、結束したそれぞれ両端に設けられたリング部とリング部の連結には楕円形の一ヶ所に支点（６）のあるその先のつまみ部先端（７）を押圧することで支点（６）を介して開閉する連結金具をつける。
本発明は以上の構成よりなっている。
本発明での使用法について説明する。図６に示すように非伸縮性のロープ（９）を高い取り付け場所となる固定物に前記連結部でリング部を連結させた状態とし、つま先立ちをした状態で手を上に伸ばし両手で筒（２）を握りかかとを着ける感じで腕と脇を伸ばしぶら下がる。
【図面の簡単な説明】
【０００９】
【図１】  本発明の斜視図
【図２】  本発明の要部拡大図
【図３】  本発明の使用状態を示す斜視図
【図４】  本発明の斜視図
【図５】  本発明の要部拡大図
【図６】  本発明の使用状態を示す斜視図
【符号の説明】
【００１０】  １．紐
２．筒
３．筒用ストッパー
４．紐用ストッパー
５．固定具
６．支点
７．つまみ部先端
８．針金
９．ロープ
１０．ロープ用ストッパー
【図１】
2007021160.tif 000003
【図２】
2007021160.tif 000004
【図３】
2007021160.tif 000005
【図４】
2007021160.tif 000006
【図５】
2007021160.tif 000007
【図６】
2007021160.tif 000008
(57)【要約】【課題】  本発明はゴルフ用キャディバッグに関するものである。【解決手段】  本体筒の下部側面に窓穴を設けたことを特徴とする、ゴルフ用キャディバッグである。【選択図】  図２
2007021159.tif 000002
【特許請求の範囲】
【請求項１】
本体下部側面に、窓穴を設けた事を特徴とするゴルフ用キャディバッグ。
【発明の詳細な説明】
【技術分野】
【０００１】  本発明は、ゴルフ用キャディバッグに関するものである。
【背景技術】
【０００２】  従来、ゴルフ用キャディバッグの形状は、底部に下向きの小さな穴１個あるのが一般的だった。
【発明の開示】
【発明が解決しようとする課題】
【０００３】そのために、次のような問題点があった。（イ）キャディバッグ内部の掃除は上部からのみで、内側底部までは手が届かず別に掃除用具が必要だった。（ロ）掃除用具を使っても暗くて隅々まで行き届く掃除ができなかった。（ハ）バッグの中に異物などが入った場合、上下逆さまに返して除去していた。（ニ）バッグ内側底部は空気の流れが悪く、ゴルフクラブのグリップ部分に付いた汗や汚れの臭いがバッグの中にこもり、非衛生的であった。（ホ）使用後保管する場合、バッグ内側の空気の流れが悪く、湿気がこもり良好な保全状態が保てなかった。  本発明は、これらの問題点を解決するためになされたものである。
【課題を解決するための手段】
【０００４】  本体下部側面に窓穴を設けて開閉できる蓋をつける。  本発明は以上の構成からなる、ゴルフ用キャディバッグである。
【発明の効果】
【０００５】  上記により、下部窓穴から清掃作業が可能となり、特別な掃除用具を必要としない。そのことで直接手作業が可能となり、底部をきれいにすることが容易となる。  底部に落ちたゴミなどは上下反対に返さなくても窓穴から簡単に除去できる。  下部窓穴を設けることで空気が流れやすく、手汗や汚れの臭いがバック内にこもらず衛生的である又空気の入替えにより湿気が取れやすく、ゴルククラブの保全状態が良好になる。  雨天プレイの場合蓋を閉めることで窓穴からの水濡れ防止をする。
【発明を実施するための最良の形態】
【０００６】  以下、本発明の実施の形態について説明する。（イ）ゴルフ用キャディバッグ本体（１）バッグ筒状本体下部側面に窓穴（２）と開閉式蓋（３）を設ける。窓穴（２）の形状は角型、円型を問わず、又大きさ及びその数も一個から複数が可能である。（ロ）開閉式窓穴（２）を覆う蓋（３）の取り付け方法は張り付け式、チヤック式、ボタン式でそれらの方法は特定しない。  本発明は以上の構成からなるもので、以下使用方法について説明する。  天気の良い日のゴルフプレイ中は窓穴を開放状態とし、雨天の場合は水濡れ防止のために蓋を閉める。プレイ終了収納時は開放状態として乾燥しやすくする。図面上は円形のキャディバッグ形状の本体（１）を示したが楕円形、四角形などすべてのキヤディバッグが可能であり本体の材質は合成繊維や皮革の種類や加工の方法は限定しない。
【図面の簡単な説明】
【０００７】【図１】本発明の正面図
【図２】本発明の窓穴部拡大図
【図３】本発明時の使用例図
【符号の説明】
【０００８】  １は本体  ２は窓穴  ３は開閉式窓穴の蓋
【図１】
2007021159.tif 000003
【図２】
2007021159.tif 000004
【図３】
2007021159.tif 000005
(57)【要約】【課題】  従来の足底背筋群の筋力強化は、自らが特別に反復訓練を行なわなければならず、長続きしなかったり、特に母趾球筋の筋力強化は、第２〜第５趾の不安定化を招き、足弓発達形成の妨げとなる。【解決手段】  全足趾に側面に貫通する穴を有し、弾力性を有する素材により形成する筒状の補助具を装着し、歩行及び運動等、日常生活の中で足底背筋群の筋力強化を行なう方法、補助具の弾力度は、足趾指接間関節の運動を阻害しない程度とし、運動時に於いてズレにくく、摩擦による擦過傷が出来にくい事とする。【選択図】図１
2007021228.tif 000002
【特許請求の範囲】
【請求項１】
全足趾に、側面に貫通する穴を有し、弾力性を有する素材により形成する筒状の補助具を装着し、歩行及び運動等、日常生活の中で足底背筋群の筋力強化を行う方法。
【発明の詳細な説明】
【技術分野】
【０００１】  本発明は、足底背筋群の筋力強化の方法に関する。
【背景の技術】
【０００２】  従来の足底背筋群筋力強化は、第１趾と第２趾の間に棒状の物を挟み込み、開閉動作及び屈曲・伸展の反復訓練を自らが特別に行う事によって実施されていた。
【０００３】  従来は、第１趾にゴム状の物を装着し、母趾球筋の筋力強化を行う方法がとられていた。
【０００４】
【特許文献１】特開平１０−１５１１３号公報
【特許文献２】特開平２０００−１７５７０５号公報
【発明の開示】
【発明が解決しようとする課題】
【０００５】  以上に述べた足底背筋群の筋力強化は、自らが特別に反復訓練を行なわなければならず、長続きしなかったり、特に母趾球筋の筋力強化は、第２〜第５趾の不安定化を招き、横足弓・外足弓の発達形成の妨げとなる。【０００６】  本発明は、このような従来の問題を解決しようとするものであり、特別に自ら反復訓練する事なく、足弓の発達形成を妨げないように、実現する方法を提供することを目的とするものである。
【課題を解決するための手段】
【０００７】  本発明は、上記目的を達成するために、全足趾に、側面に貫通する穴を有し、弾力性を有する素材により形成する筒状の補助具を装着し、歩行及び運動等、日常生活の中で足底背筋群の筋力強化を行う方法であり、補助具の弾力度は、足趾指接間関節の運動を阻害しない程度とし、運動時に於いてズレにくく、摩擦による擦過傷が出来にくい事とするところに特徴を有する。
【発明の効果】
【０００８】  上述のように、全足趾に補助具を装着することにより、足趾指接間関節が保護され、歩行及び運動時に於いて、全足趾が積極的に運動に参加するようになり、足底背筋群の筋力強化につながる。特に足底筋群の筋力強化が著しい。【０００９】  特別に筋力強化の訓練は不必要で、歩く運動等、日常生活のなかで無意識に筋力強化を行なえる。【００１０】  足底背筋群筋力強化により、歩行や運動の主動作筋の補助筋となり、歩行や運動能力が向上し、特に足底筋群筋力の強化は、歩行時の身体の安定保持、外反母趾・扁平足等の機能回復が向上し、足弓の発達形成を促す。
【発明を実施するための最良の形態】
【００１１】  以下、本発明の実施の形態を図１〜図３に基づいて説明する。【００１２】  図１は、補助具を足趾に装着した状態である。装着時の１の肉厚は、第１趾で１ｍｍ程度、第２〜第５趾は０．５ｍｍ程度で、１の長さは２０ｍｍ程度とし、靴を履いた時違和感のない事とする。２は貫通孔で、通気性を保つためのもので１個〜複数個とする。【００１３】  図２は、１の断面図である。Ａ−Ａの内径は２０ｍｍ程度、Ｂ−Ｂの内径は１２ｍｍ程度とする。但し、材質によっては寸法が異なる。【００１４】  図３は、足底背筋筋力低下と、正常時の歩行時に於ける足関節と、中足指節関節の動きである。３は、下肢を示し、４は、足関節、５は、中足指節関節である。ｂ、ｃ、ｄは足関節と中足指節関節の働きが見られないのに対して、正常時のｆ、ｇ、ｈ、ｉ、ｊは、足関節と中足指節関節が十分に機能している。【００１５】  図４は、右足の足弓で、足底筋群のなかの母指球筋Ｃ−Ｅ内足弓、中足筋Ｃ−Ｄ横足弓、小指球筋Ｄ−Ｅ外足弓の図である。
【図面の簡単な説明】
【００１６】
【図１】  足趾に補助具を装着した図である。
【図２】  補助具の断面図である。
【図３】  足底背筋群筋力低下と、正常時の歩行の状態図である。
【図４】  足弓の形状図である。Ｃ−Ｄ・横足弓  Ｃ−Ｅ・内足弓  Ｄ−Ｅ・外足弓
【符号の説明】
【００１７】  １  補助具
２  通気性を保つための貫通孔
【図１】
2007021228.tif 000003
【図２】
2007021228.tif 000004
【図３】
2007021228.tif 000005
【図４】
2007021228.tif 000006
(57)【要約】【課題】  目盛表示部を有するダイカスト品の目盛を成形する為にダイカスト金型に設けられる凸部に溶損が生じる度に凸部を溶接補修する必要が無いダイカスト金型の提供。【解決手段】  固定型３の固定ダイス３ｂと、可動型２の可動ダイス２ｂとによりキャビティＡを画成することにより、溶湯金属で目盛表示部を有するダイカスト品をダイカストするダイカスト金型１の可動型２には複数の凸部６ａを有する埋子６が収容されており、埋子６により目盛表示部が成形される。【選択図】図１
2007021553.tif 000002
【特許請求の範囲】
【請求項１】
固定型と、該固定型に対して型締めされて該固定型と共にキャビティを画成する可動型とを備えるダイカスト金型において、ダイカスト品に目盛表示部を成形する為の埋子が該固定型又は該可動型に収容されており、該埋子は該目盛表示部の目盛を成形するための複数の凸部を有することを特徴とするダイカスト金型。
【請求項２】
請求項１のダイカスト金型を用いてダイカストを行うことを特徴とするダイカスト法。
【発明の詳細な説明】
【技術分野】
【０００１】
本発明は、ダイカスト金型及びダイカスト法に関し、特に、目盛表示部を有するダイカスト品の成形に用いるダイカスト金型及び該ダイカスト金型を用いたダイカスト法に関する。
【背景技術】
【０００２】
特許第３３４３５９２号公報には、目盛表示部を有するスイングアームが開示されている。目盛表示部は、自動二輪車の後輪を正確に位置決めするために用いられるものであり、目盛表示部の目盛はスイングアームに刻設することにより成形されている。
【特許文献１】特許第３３４３５９２号公報
【発明の開示】
【発明が解決しようとする課題】
【０００３】
スイングアームはダイカスト法により成形することも行われている。ダイカストされたスイングアームに後工程で目盛を刻設したのでは生産性が悪くなることから、スイングアームをダイカストする際に同時に凹状の目盛が成形される。凹状の目盛を成形するには、ダイカスト金型に複数の凸部が設けられるが、アルミニウム合金等の溶湯金属はキャビティに充填された後に収縮するので、凸部には過大な応力が作用して溶損を生じてしまう。凸部に溶損が生じた場合には、溶接補修が必要となり生産性が低下する。
【０００４】
そこで、本発明は、目盛表示部を有するダイカスト品をダイカストするのに適したダイカスト金型及び該ダイカスト金型を用いたダイカスト法を提供することを目的とする。
【課題を解決するための手段】
【０００５】
上記目的を達成するために、本発明は、固定型と、該固定型に対して型締めされて該固定型と共にキャビティを画成する可動型とを備えるダイカスト金型において、ダイカスト品に目盛表示部を成形する為の埋子が該固定型又は該可動型に収容されており、該埋子は該目盛表示部の目盛を成形するための複数の凸部を有するダイカスト金型を提供している。
【０００６】
また、本発明は、請求項１のダイカスト金型を用いてダイカストを行うダイカスト法を提供している。
【発明の効果】
【０００７】
本発明の請求項１記載のダイカスト金型によれば、ダイカスト品に目盛表示部を成形する為の埋子が固定型又は可動型に収容されており、埋子は目盛表示部の目盛を成形するための複数の凸部を有するので、凸部が溶損した場合には固定型又は可動型から埋子を取り外し、新たな埋子に交換することができる。よって、凸部が溶損する度に溶接補修する手間が無く、目盛表示部を有するダイカスト品の生産性に優れている。
【０００８】
本発明の請求項２記載のダイカスト法によれば、目盛表示部の目盛を成形するための埋子の凸部が溶損する度に溶接補修する手間が無く、目盛表示部を有するダイカスト品を安定してダイカストすることができる。
【発明を実施するための最良の形態】
【０００９】
本発明の実施の形態によるダイカスト金型及びダイカスト法について図１及び図２に基づき説明する。ダイカスト金型１は、可動ホルダー２ａと可動ダイス２ｂからなる可動型２と、固定ホルダー３ａと固定ダイス３ｂからなる固定型３とを備えている。可動型２が固定型３に対して型締めされると、可動ダイス２ｂと固定ダイス３ｂとでキャビティＡが画成される。ダイカスト金型１の材質はＳＫＤ６やＳＫＤ６１等の熱間工具鋼であり、窒化処理が施されている。給湯孔４ａから射出スリーブ４内に供給されたアルミニウム合金等の溶湯金属をプランジャチップ５でキャビティＡに充填することにより、目盛表示部を有するスイングアームがダイカストされる。
【００１０】
ハイス鋼（ハイスピード工具鋼）からなる埋子６が固定ダイス３ｂの埋子収容穴３ｃに収容され、ボルト７により固定ダイス３ｂに固定されている。図２に示すように、埋子６はスイングアームの目盛表示部の目盛を成形する為の複数の凸部６ａを有しており、埋子６が埋子収容穴３ｃに収容・固定されると、複数の凸部６ａはキャビティＡに突出する。埋子６の先端面６ｂは、固定ダイス３ｂのキャビティ面３ｄと面一となり、スイングアームの目盛表示部を成形する。埋子６には、窒化処理を施した後にさらにセラミックコーティングを施す複合表面処理がなされている。埋子６はハイス鋼からなり、複合表面処理が施されていることから、可動ダイス２ｂ及び固定ダイス３ｂよりも耐溶損性に優れている。
【００１１】
ダイカスト法においては、先ず、可動型２を固定型３に対して型締めすることにより、キャビティＡを画成する。次に、プランジャチップ５で溶湯金属をキャビティＡに充填する。そして、キャビティＡの溶湯金属が凝固した後に可動型２を移動させ、図示せぬ押出しピンでスイングアームをダイカスト金型１から離型させ、目盛表示部を有するダイカスト品であるスイングアームを取り出す。
【００１２】
本発明のダイカスト金型及び該ダイカスト金型を用いたダイカスト法は、上述した実施の形態に限定されず、特許請求の範囲で記載した範囲で種々の変形や改良が可能である。例えば、本実施の形態においては、埋子６の材質はハイス鋼であったが、これに限定されない。耐溶損性に優れた他の高機能材料を用いてもよい。
【００１３】
また、本実施の形態においては、埋子６は固定型３の固定ダイス３ｂに収容されたが、これに限定されない。可動型２又は固定型３のキャビティＡを画成する部分に別ピースとして収容され、可動型２及び固定型３と共にキャビティＡを画成するものであればよい。
【産業上の利用可能性】
【００１４】
本発明のダイカスト金型及び該ダイカスト金型を用いたダイカスト法は、目盛表示部を有するダイカスト品をダイカストするダイカスト法の分野において極めて有用である。
【図面の簡単な説明】
【００１５】
【図１】本実施の形態によるダイカスト金型の断面図。
【図２】本実施の形態による埋子をキャビティ側から見た図。
【符号の説明】
【００１６】
１    ダイカスト金型
２    可動型
３    固定型
６    埋子
６ａ  凸部
【図１】
2007021553.tif 000003
【図２】
2007021553.tif 000004